(57)【特許請求の範囲】
【請求項１】
投光光源を有し、測定光を被検眼角膜に投光する投光光学系と、
被検眼の瞳孔内画像を撮影するための照明光を投光する照明光学系と、
被検眼前眼部と略共役な位置に配置された撮像面を持つ撮像素子を有し、前記測定光による角膜反射像及び前記照明光学系による被検眼の瞳孔内画像を撮像する撮像光学系と、
前記撮像素子により撮像された前記角膜反射像に基づいて角膜乱視軸方向を検出する角膜乱視軸検出手段と、
前記角膜乱視軸検出手段による検出結果を用いて，記憶手段に記憶された前記瞳孔内画像に角膜乱視軸方向を示す角膜乱視軸指標を重ね合わせ処理する画像処理手段と、
前記画像処理手段によって重ね合わせ処理された瞳孔内画像を出力する制御手段と、
を備え、被検眼におけるトーリック眼内レンズの装用状態を確認可能であることを特徴とする眼科装置。
【請求項２】
請求項１の眼科装置において、
前記記憶手段に記憶された瞳孔内画像に基づいてトーリック眼内レンズのレンズ乱視軸情報を検出する乱視軸情報検出手段を有し、
前記画像処理手段は、検出された前記レンズ乱視軸情報に基づいてトーリック眼内レンズの乱視軸を示すレンズ乱視軸指標を前記角膜乱視軸指標と共に表示することを特徴とする眼科装置。
【請求項３】
被検眼の乱視軸方向データを用いて，瞳孔内画像に角膜乱視軸方向を示す角膜乱視軸指標を重ね合わせ処理する画像処理手段と、
前記画像処理手段によって重ね合わせ処理された瞳孔内画像を出力する制御手段と、
を備えることを特徴とする眼科装置。
【発明の詳細な説明】
【技術分野】
【０００１】
本発明は、術後の被検眼における眼内レンズの装用状態を確認するための眼科装置に関する。
【背景技術】
【０００２】
近年、眼内レンズの一つとして、乱視矯正に対応したトーリック眼内レンズ（TORIC-Intraocular lens）が現れている。このようなトーリック眼内レンズを処方する場合、ケラトメータ（例えば、特許文献１）により角膜曲率及び角膜乱視軸が算出され、眼軸長測定装置によって眼軸長が算出され、これらに基づいて挿入するトーリック眼内レンズが決定される。
【０００３】
そして、術者は、専用の部材を用いて被検眼の水平軸方向に第一のマーキングをし、さらに、第一のマーキングを基準として、被検眼の乱視軸（強主経線方向）に対応する位置に第二のマーキングを施し、この第二のマーキングとトーリック眼内レンズの乱視軸が合うように眼内レンズを眼内に挿入する。
【先行技術文献】
【特許文献】
【０００４】
【特許文献１】特開２００３−１６９７７８号公報
【発明の概要】
【発明が解決しようとする課題】
【０００５】
しかしながら、被検眼の乱視軸とトーリック眼内レンズの乱視軸とがずれた状態で眼内に挿入されてしまうと、十分な矯正結果が得られない場合がある。軸ずれが生じる要因は多く存在する。例えば、角膜形状を測定する時とマーキングを施す時とで被検者の体勢が変化し、乱視軸にマーキングを施すことができない場合や眼内レンズ挿入時における検者の手ブレが生じる場合などが挙げられる。また、手術後に眼内で眼内レンズが安定するまでにずれが生じてしまうこともある。そして、従来の装置において、術後にトーリック眼内レンズの軸ずれを確認できるものがなかった。
【０００６】
本件請求項１に係る本発明は、上記問題点を鑑み、被検眼のトーリック眼内レンズの装用状態を容易に確認できる眼科装置を提供することを技術課題とする。
【課題を解決するための手段】
【０００７】
上記課題を解決するために、本発明は以下のような構成を備えることを特徴とする。
【０００８】
（１）  投光光源を有し、測定光を被検眼角膜に投光する投光光学系と、被検眼の瞳孔内画像を撮影するための照明光を投光する照明光学系と、被検眼前眼部と略共役な位置に配置された撮像面を持つ撮像素子を有し、前記測定光による角膜反射像及び前記照明光学系による被検眼の瞳孔内画像を撮像する撮像光学系と、前記撮像素子により撮像された前記角膜反射像に基づいて角膜乱視軸方向を検出する角膜乱視軸検出手段と、前記角膜乱視軸検出手段による検出結果を用いて，記憶手段に記憶された前記瞳孔内画像に角膜乱視軸方向を示す角膜乱視軸指標を重ね合わせ処理する画像処理手段と、前記画像処理手段によって重ね合わせ処理された瞳孔内画像を出力する制御手段と、を備え、被検眼におけるトーリック眼内レンズの装用状態を確認可能であることを特徴とする。
（２）  （１）の眼科装置において、前記記憶手段に記憶された瞳孔内画像に基づいてトーリック眼内レンズのレンズ乱視軸情報を検出する乱視軸情報検出手段を有し、前記画像処理手段は、検出された前記レンズ乱視軸情報に基づいてトーリック眼内レンズの乱視軸を示すレンズ乱視軸指標を前記角膜乱視軸指標と共に表示することを特徴とする。
（３）  被検眼の乱視軸方向データを用いて，瞳孔内画像に角膜乱視軸方向を示す角膜乱視軸指標を重ね合わせ処理する画像処理手段と、前記画像処理手段によって重ね合わせ処理された瞳孔内画像を出力する制御手段と、を備えることを特徴とする。
【発明の効果】
【０００９】
本件請求項１に係る本発明によれば、被検眼におけるトーリック眼内レンズの装用状態を容易に確認できる。
【発明を実施するための形態】
【００１０】
以下、本発明の実施形態について図面に基づいて説明する。図１は眼科装置の光学系及び制御系について示す概略構成図である。
【００１１】
本装置の光学系には、投光光源（４１）を有し測定光を被検眼角膜に投光する投光光学系（４０）と、トーリック眼内レンズが挿入された被検眼の術後の瞳孔内画像を撮影するための照明光を投光する照明光学系（１０ａ）と、被検眼前眼部と略共役な位置に配置された撮像面を持つ撮像素子（３５）を有し測定光による角膜反射像及び照明光学系（１０ａ）による被検眼の瞳孔内画像を撮像する撮像光学系（３０）と、が設けられている。なお、（）内の番号は、参照番号に過ぎず、具体的構成は、これに限定されるものでものではない。
【００１２】
投光光学系（４０）には、例えば、角膜形状を測定するための測定指標を投影する投影光学系４０が用いられる（例えば、ケラトメータの投影系）。なお、投影光学系４０は、例えば、リング指標を投影する。また、光軸Ｌ１を中心とする同一円周上に少なくとも３つ以上の点光源が配置されていればよく、間欠的なリング光源であってもよい。さらに、複数のリング指標を投影するプラチド指標投影光学系であってもよい。
【００１３】
照明光学系（１０ａ）には、被検眼の徹照像を撮影するために被検眼眼底を照明する照明光学系、被検眼前眼部を前方より照明する照明光学系、等が用いられる。
【００１４】
また、徹照像を撮影する構成により、トーリック眼内レンズの乱視軸マークの位置を容易に把握できる。この場合、例えば、眼軸長測定光学系１０の投光光学系１０ａが用いられ、眼軸長測定光の投光を兼用する。なお、以下の説明では、光干渉光学系が徹照像撮影に用いられるが、もちろん専用の投光光学系を用いてもよい。
【００１５】
なお、光干渉式眼軸長測定装置への適用に限定されず、オートレフケラトメータにおいても本発明の適用は可能である。この場合、オートレフ（眼屈折力測定光学系）の測定光源を徹照像撮影に用いることも可能である。もちろん単なるケラトメータへの適用も可能である。
【００１６】
撮像光学系（３０）には、例えば、前眼部正面像を撮像する撮像光学系３０が用いられる。撮像光学系には、２つの撮像素子が設けられ、角膜形状測定用と瞳孔内画像撮影用を分けられてもよい。
【００１７】
また、角膜形状を測定するための光学系としては、ケラトメータの構成に限るものではない。例えば、ＯＣＴ又はシャインプルーフの原理を応用して前眼部断面像を撮像するための投光光学系及び撮像光学系が設けられる。
【００１８】
前述の光学系の具体的構成について以下に説明する。本光学系は、眼軸長測定光学系（以下、測定光学系）１０、投影光学系４０、アライメント投影光学系５０、前眼部正面撮像光学系（以下、撮像光学系）３０に大別される。また、測定光学系１０の投光系及び撮像光学系３０は、眼底に照明光を投光し、その反射光を撮像素子３５に受光することにより、徹照像を撮像する光学系を兼ねている。
【００１９】
なお、以下の光学系は、図示無き筐体に内蔵されている。また、その筐体は、周知のアライメント移動機構の駆動により、操作部材（例えば、ジョイスティック）を介して被検者眼に対して３次元的に移動される。
【００２０】
投影光学系４０は、測定光軸Ｌ１を中心に配置されたリング状の光源４１を有し、リング指標を投影して角膜形状（曲率、乱視軸角度、等）を測定するために用いられる。なお、光源４１には、例えば、赤外光または可視光を発するＬＥＤが使用される。
【００２１】
アライメント投影光学系５０は、光源４１の内側に配置され、赤外光を発する投影光源５１を有し、被検者眼角膜にアライメント指標を投影するために用いられる。そして、角膜に投影されたアライメント指標は、被検者眼に対する位置合わせ（例えば、自動アライメント、アライメント検出、手動アライメント、等）に用いられる。本実施形態において、投影光学系５０は、被検者眼角膜に対してリング指標を投影する光学系であって、リング指標は、マイヤーリングも兼用する。また、投影光学系５０の光源５１は、前眼部を斜め方向から赤外光にて照明する前眼部照明を兼用する。
【００２２】
撮像光学系３０は、ダイクロイックミラー３３、対物レンズ４７、ミラー６２、フィルタ３４、撮像レンズ３７、二次元撮像素子３５、を含み、前眼部正面像を撮像するために用いられる。二次元撮像素子３５は、前眼部と略共役位置に配置されている。
【００２３】
前述の投影光学系４０、投影光学系５０による前眼部反射光は、ダイクロイックミラー３３、対物レンズ４７、ミラー６２、フィルタ３４、及び撮像レンズ３７を介して二次元撮像素子３５に結像される。
【００２４】
眼軸長測定光学系１０は、投光光学系１０ａ及び受光光学系１０ｂとを有し、被検眼に測定光を投光し、その反射光による干渉光を検出する。投光光学系１０ａは、低コヒーレント光を出射する測定光源１（本実施例では、固視灯を兼ねる）、測定光源１から出射された光束を平行光束とするコリメータレンズ３、光源１から出射された光を分割するビームスプリッター（以下、ビームスプリッタ）５、ビームスプリッタ５の透過方向に配置された第１三角プリズム（コーナーキューブ）７、ビームスプリッタ５の反射方向に配置された第２三角プリズム９、偏光ビームスプリッタ１１、１／４波長板１８、を有する。なお、本実施例においては、測定光源１が固視灯を兼ねるものとしたが、別途に固視灯を設けてもかまわない。
【００２５】
光源１から出射された光（直線偏光）は、コリメータレンズ３によってコリメートされた後、ビームスプリッタ５によって第１測定光と第２測定光とに分割される。そして、分割された光は、三角プリズム７（第１測定光）及び三角プリズム９（第２測定光）によって反射されて各々折り返された後、ビームスプリッタ５によって合成される。そして、合成された光は、偏光ビームスプリッタ１１によって反射され、１／４波長板１８によって円偏光に変換された後、ダイクロイックミラー３３を介して、少なくとも被検眼角膜と眼底に照射される。このとき、測定光束は、被検者眼の角膜と眼底にて反射されると、１／２波長分位相が変換される。
【００２６】
測定光による角膜反射光と眼底反射光による干渉光を受光するために配置された受光光学系１０ｂは、ダイクロイックミラー３３と、１／４波長板１８と、偏光ビームスプリッタ１１と、集光レンズ１９と、受光素子２１と、を有する。
【００２７】
角膜反射光及び眼底反射光は、ダイクロイックミラー３３を透過し、１／４波長板１８によって直線偏光に変換される。その後、偏光ビームスプリッタ１１を透過した反射光は、集光レンズ１９によって集光された後、受光素子２１によって受光される。
【００２８】
なお、三角プリズム７は、光路長を変更させるための光路長変更部材として用いられ、駆動部７１（例えば、モータ）の駆動によってビームスプリッタ５に対して光軸方向に直線的に移動される。この場合、光路長変更部材は、三角ミラーであってもよい。また、プリズム７の駆動位置は、位置検出センサ７２（例えば、ポテンショメータ、エンコーダ、等）によって検出される。
【００２９】
また、上記説明においては、角膜反射光と眼底反射光を干渉させる構成としたが、これに限るものではない。すなわち、光源から出射された光を分割するビームスプリッタ（光分割部材）と、サンプルアームと、レファレンスアームと、干渉光を受光するための受光素子と、を有し、サンプルアームを介して被検眼に照射された測定光とレファレンスアームからの参照光とによる干渉光を受光素子により受光する光干渉光学系を備える眼寸法測定装置であってもよい。この場合、サンプルアーム及びレファレンスアームの少なくともいずれかに光路長変更部材が配置される。
【００３０】
また、上記構成においては、プリズム７を直線的に移動させることにより参照光の光路長を変化させるものとしたが、これに限るものではなく、回転反射体による光遅延機構により参照光の光路長を変化させる構成であっても、本発明の適用は可能である（例えば、特開２００５−１６０６９４号公報参照）。
【００３１】
また、眼軸長測定光学系１０の測定光源１を徹照像撮影用光源として用いており、投光光学系１０ａと同様の光路を経て、被検眼眼底に投光される。そして、その眼底反射光によって被検眼の瞳孔内が後方から照明される。そして、被検眼瞳孔を出射した光は、前述の前眼部反射光と同様の経路を経て、二次元撮像素子３５に撮像される。これにより、被検眼瞳孔内の徹照像が取得される。
【００３２】
次に、制御系について説明する。制御部８０は、装置全体の制御及び測定結果の算出を行う。制御部８０は、光源１、光源５１、光源４１、受光素子２１、撮像素子３５、モニタ７０、メモリ８５等と接続されている。
【００３３】
本装置の動作の概要について説明する。メモリ８５は、撮像素子３５から出力される画像信号に基づいて角膜反射像（図２参照）、瞳孔内画像（図３のＧ参照）を記憶する。そして、制御部８０は、メモリ８５に記憶された角膜反射像に基づいて角膜乱視軸方向を検出する（図２参照）。
【００３４】
制御部８０は、前述の乱視軸方向の検出結果を用いて，メモリ８５に記憶された瞳孔内画像（図３のＧ参照）に角膜乱視軸方向を示す角膜乱視軸指標（図５のラインＢ１参照）を重ね合わせ処理する。そして、制御部８０は、重ね合わせ処理された瞳孔内画像を出力する（図５参照）。
【００３５】
この場合、メモリ８５に記憶された瞳孔内画像に基づいてトーリック眼内レンズのレンズ乱視軸情報を検出してもよい。この場合、自動又は手動によりレンズ乱視軸情報が検出される。また、乱視軸情報を得る場合、例えば、眼内レンズに形成された乱視軸マーク９１が検出される（図３、図４参照）。
【００３６】
そして、制御部８０は、検出されたレンズ乱視軸情報に基づいてトーリック眼内レンズの乱視軸を示すレンズ乱視軸指標（図５のラインＭ１参照）を角膜乱視軸視標（図５のラインＭ１参照）と共に表示する。この場合、例えば、乱視軸マークを含む瞳孔内画像に重ね合わせ処理された状態で表示される。また、前眼部画像に重ね合わせ処理された状態で表示されてもよい。また、モニタの端部に表示されるようにしてもよい。
【００３７】
また、乱視軸マーク９１を自動的に検出する場合、制御部８０は、例えば、メモリ８５に記憶された瞳孔内画像に基づいて乱視軸マーク９１に対応する輝度変化部分を画像処理により検出する（図３、図４参照）。また、制御部８０は、検出された輝度変化部分に基づいてレンズ乱視軸指標（図５のラインＭ１参照）を瞳孔内画像に重ね合わせ処理する。
【００３８】
また、制御部８０は、角膜乱視軸方向に対するレンズ乱視軸方向の軸ずれを検出し、その検出結果を瞳孔内画像と共に表示する（図５のΔθ参照）。この場合、制御部８０は、レンズ乱視軸の角度と角膜乱視軸の角度をそれぞれ求めて軸ずれを検出してもよい。また、制御部８０は、ある中心点を基準に、角膜乱視軸方向に対する乱視軸マーク角度を画像処理により検出しても良い。
【００３９】
また、制御部８０は、メモリ８５に記憶された角膜反射像に基づいて角膜中心位置を検出する（図２参照）。また、制御部８０は、メモリ８５に記憶された瞳孔内画像に基づいて眼内レンズの光学中心位置を検出し、角膜中心位置に対する光学中心位置の偏位量を検出する（図３参照）。そして、制御部８０は、その検出結果を瞳孔内画像と共に表示する。
【００４０】
次に、本装置の動作の詳細な具体例について説明する。本装置には手術前に、被検者眼の角膜形状等を測定し、眼内レンズの度数を求めるための術前モードと、手術後の被検眼におけるトーリック眼内レンズ挿入位置を確認し、乱視軸のずれを確認できる術後モードが備えられている。本実施例では、術後モードにおいて、トーリック眼内レンズ挿入眼を撮影し、その軸ずれを測定する。以下に術後モード時の動作について説明する。
【００４１】
＜ケラト撮影＞
検者により、図示なき術後モードへの切換えスイッチが選択されると、制御部８０は、術前モードから術後モードへとモード切換えを行う。なお、術後モードは、散瞳剤による散瞳状態で行われるのが好ましい。
【００４２】
初めに、角膜形状測定が行われる。図２は撮像素子３５によって撮像された前眼部像が表示された前眼部観察画面を示す図である。アライメントの際には、光源５１及び光源４１が点灯される。ここで、検者は、図２に示すように、電子的に表示されたレチクルＬＴと、光源５１によるリング指標Ｒ１と、が同心円状になるように上下左右のアライメントを行う。また、検者は、リング指標Ｒ１のピントが合うように、前後のアライメントを行う。なお、リング指標Ｒ１の外側には、光源４１によるリング指標Ｒ２が表示されている。
【００４３】
上記のようにしてアライメントが行われ、所定のトリガ信号が発せられると、制御部８０は、前眼部像を撮影する。そして、制御部８０は、撮像素子３５から出力される撮像信号に基づいて、リング指標Ｒ１、Ｒ２を含む前眼部画像を静止画として取得し、メモリ８５に記憶させる（図２参照）。
【００４４】
そして、制御部８０は、メモリ８５に記憶された前眼部画像におけるリング指標像Ｒ２に基づいて被検眼の角膜形状（例えば、強主経線方向及び弱主経線方向における角膜曲率、角膜の乱視軸角度、等）を算出し、測定結果をメモリ８５に記憶する。なお、角膜乱視眼の場合、指標像Ｒ２が楕円形状となるため、制御部８０は、その長径方向及び短径方向を検出することにより乱視軸角度を求める。また、制御部８０は、リング指標Ｒ１又はリング指標Ｒ２に基づいて被検眼の角膜中心の位置座標を検出し、検出結果をメモリ８５に記憶する。
【００４５】
＜徹照像撮影＞
リング指標を含む前眼部撮影が終わると、制御部８０は、光源５１及び光源４１を消灯させ、光源１を点灯させ、光源１の眼底反射光により徹照像を撮像素子３５により撮像し、メモリ８５に記憶させる（図３参照）。
【００４６】
この場合、被検眼の虹彩部分は、眼底反射光を減光するため、暗い像となって撮像素子３５に撮像される（図３の瞳孔領域９２参照）。瞳孔領域９２は、虹彩と瞳孔の境界位置を示している。
【００４７】
瞳孔領域９２の内側について、本実施形態では、ＴＯＬＩＣ−ＩＯＬ（以下ＩＯＬと記載）の乱視軸を示すマーキング部分は、眼底反射光を減光するため、暗い像となって撮像素子３５に撮像される（図３の乱視軸マーク９１参照）。また、瞳孔内における他の領域については、眼底反射光によって明るい像となって撮像素子３５に撮像される。
【００４８】
＜角膜形状測定結果と徹照像との合成処理＞
次いで、制御部８０は、メモリ８５に記憶された被検眼の乱視軸角度データと徹照像画像に基づいてＩＯＬの乱視軸のずれを確認するための合成画像を作成する。
【００４９】
図３は、撮影した徹照像画像を示したものである。まず、制御部８０は、徹照像画像の光量分布から瞳孔領域９２のエッジを検出し、瞳孔形状を得る。また、制御部８０は、瞳孔領域９２のエッジ検出結果に基づいて、瞳孔中心Ｏを算出する。
【００５０】
次いで、制御部８０は、瞳孔領域９２内について瞳孔中心Ｏを中心とする各経線方向のエッジを１度ずつ順に検出する。
【００５１】
この場合、ＩＯＬ上において乱視軸マーク９１が表記されている位置においては、これに対応する輝度変化が生じる（図４参照）のに対し、乱視軸マーク９１が表記されていない位置においては、輝度変化がほぼ生じない。なお、乱視軸マーク９１は、ＩＯＬの光学中心に対して対称な位置に表記されている。
【００５２】
具体的には、２つの乱視軸マーク９１が表記されている位置については、図４に示すように、２つの輝度変化部分９６ｂ、９７ｂが検出される。これを利用して、制御部８０は、各経線方向におけるエッジ検出結果を解析し、乱視軸マーク９１による輝度変化部分９６ｂ、９７ｂを検出することで、乱視軸マーク９１の表記位置を検出できる。
【００５３】
図５は角膜形状測定結果と徹照像を合成させた画像の具体例である。なお、以下の合成処理は、画像処理によって行われる。制御部８０は、２つの乱視軸マーク９１の表記位置を検出すると、互いの表記位置を結ぶ直線の位置座標を求め、ラインＭ１として徹照像画像に合成させる。ラインＭ１は、ＩＯＬの乱視軸を示すための指標となる。
【００５４】
また、制御部８０は、前述のように算出された乱視軸角度に対応する直線をラインＢ１として徹照像画像に合成させる。ラインＢ１は、被検眼角膜の乱視軸方向を示すための指標となる。
【００５５】
なお、制御部８０は、２つの乱視軸マーク９１間の中心位置を検出し、モニタ７０上の徹照像画像上において、その中心位置に対応する位置をラインＢ１が通るようにラインＢ１を表示させる。なお、この場合、ラインＢ１の中心が２つの乱視軸マーク９１間の中心位置と一致している方が角度関係を把握しやすい。
【００５６】
また、制御部８０は、前述のように検出された角膜中心位置と、２つの乱視軸マーク９１間の中心位置との偏位量を検出し、その検出結果を徹照像画像と共にモニタ７０に表示する。例えば、図５に示すように、ＸＹ方向の偏位量（ΔＸ、ΔＹ）として徹照像画像に合成される。
【００５７】
さらに、制御部８０は、ＩＯＬの乱視軸（ラインＭ１）と被検眼角膜の乱視軸（ラインＢ１）の角度に基づいて、角膜の乱視軸角度に対するＩＯＬの乱視軸角度の角度差Δθを算出し、その算出結果を徹照像画像と共に表示する。徹照像画像に対して合成された角度差Δθは、角膜乱視軸とＩＯＬ乱視軸との軸ずれ量を表す。
なお、制御部８０は、例えば、乱視軸マーク９１が検出された経線方向に基づいてＩＯＬの乱視軸の角度を算出できる。
【００５８】
また、制御部８０は、角度差Δθに基づいて、矯正がされてない屈折力（実際に矯正した予定の矯正屈折力と実際に矯正されている屈折力との差）として残余乱視量を算出し、徹照像画像に対して合成する（図５参照）。残余乱視量の算出は、角膜（Ｓ1（球面度数）、Ｃ1（柱面度数）、Ａ1（乱視軸角度））とＩＯＬ（Ｓ2、Ｃ2、Ａ2）の円柱屈折力の合成（Ｓ12、Ｃ12、Ａ12）に基づいてＣ12＝−（Ｃ12＋Ｃ22＋２Ｃ1Ｃ2ｃｏｓ（２ｄθ））1/2の式により求められる。なお、ｄθは、ＩＯＬの乱視軸が角膜の乱視軸角度と一致した位置から光軸まわりに回転してずれた角度である。
【００５９】
そして、図５のような徹照像画像データに基づく出力データは、被検眼の乱視軸とＩＯＬの乱視軸とがずれた状態で眼内に挿入されてしまい、十分な矯正結果が得られない場合等、術後のトーリック眼内レンズの乱視軸と被検眼の乱視軸の軸ずれを確認する際に利用される。
【００６０】
よって、手術後においてトーリック眼内レンズが眼内の適正な位置に置かれているか確認でき、術後に患者が十分な矯正結果を得られないときの原因が把握できる。
【００６１】
上記のようにして画像処理により作成された徹照像画像データは、メモリ８５に記憶される。制御部８０は、徹照像画像データをモニタ７０に表示出力する他、プリンタによる印字出力、データ出力、が可能である。
【００６２】
なお、上記実施例においては、徹照像画像より、乱視軸マーク９１の位置検出を行ったが、これに限るものではなく、例えば、前眼部正面像より検出することも可能である。
【００６３】
また、上記説明においては、軸ずれをΔθとして出力したが、これに限るものではなく、軸ずれを判断するための角度情報が徹照像画像と共に表示されればよい。例えば、ラインＭ１に対するラインＢ１との角度を確認するための角度目盛（例えば、分度計）が徹照像画像に合成表示されるようにしてもよい。この場合、ラインＢ１の位置を０度として、目盛を付与するのが好ましい。
【００６４】
なお、本実施例においては、徹照像画像上において、その検出された中心位置に対応する位置をラインＢ１が通るようにラインＢ１を表示させるものとしたが、これに限るものではない。例えば、ラインＢ１とラインＭ１の末端が重なっているようなものでもよい。すなわち、ラインＢ１とラインＭ１が重ねるべき所定の位置はなく、ライン間の軸ずれが確認されればよい。
【００６５】
なお、本実施例においては、徹照像画像上で軸ずれ情報が表示されるものとしたが、これに限るものではなく、例えば前眼部表示画面上であってもかまわない。この場合、徹照像画像上におけるＩＯＬの乱視軸（ラインＭ１）を前眼部表示画面上に合成してもよい。
【００６６】
なお、本実施例においては、乱視軸マークがＩＯＬの支持部に形成されている場合、支持部の乱視軸マークの位置が検出される。また、乱視軸マークには、レンズの乱視軸を示すマークとして機能するものが含まれる。
【００６７】
なお、軸ずれ量は手動操作によって算出されてもよい。制御部８０は、検者によって手動操作される所定のスイッチからの操作信号に基づいて、角膜乱視軸に対応するラインＢ１を回転可能とし、乱視軸マーク９１とラインＢ２が平行な関係になったときのラインＢ１の回転角度を計測するようにしてもよい。
【００６８】
なお、本実施例においては、乱視軸マーク９１の位置を検出する方法として、３６０度方向に１度ずつ順に各経線方向のエッジを検出するという方法を用いたがこれに限らない。例えば、ＸまたはＹ方向に順に表示画面全体のスキャンを行い、乱視軸マーク９１に対応する輝度変化部分を検出してもよい。
【００６９】
また、検者によって手動操作される所定のスイッチからの操作信号に基づいて、モニタ７０上の２つの乱視軸マーク９１の位置が特定され、その位置情報に基づいてラインＢ１が表示されるようにしてもよい。この場合、コンピュータマウスでの位置指定が効果的である。
【００７０】
＜眼軸長測定＞
なお、術前モードにおいては、ケラト撮影と徹照像撮影の他に眼軸長測定も行う。以下に眼軸長測定の際の動作について説明する。制御部８０は、上記徹照像撮影撮影と同様に測定光源１を点灯させる。そして、眼軸長測定光学系１０によって測定光が被検眼に照射されると共に、測定光による被検眼からの反射光が受光光学系１０ｂの受光素子２１に入射される。
【００７１】
また、制御部８０は、駆動部７１の駆動を制御し、第１三角プリズム７を往復移動させる。そして、制御部８０は、受光素子２１によって干渉光が検出されたタイミングを元に、眼軸長を算出する。例えば、制御部８０は、プリズム７が移動されているときに受光素子２１から出力される干渉信号を取得し、干渉信号が取得されたときのプリズム７の位置を位置センサ７２で検出し、所定の計算式、テーブル等を用いて眼軸長値を得る。
【図面の簡単な説明】
【００７２】
【図１】眼科装置の光学系及び制御系について示す概略構成図である。
【図２】撮像された前眼部像が表示された前眼部観察画面を示す図である。
【図３】撮像された瞳孔内画像が表示された画面を示す図である
【図４】瞳孔内画像に基づいて乱視軸マークに対応する輝度変化部分を画像処理により検出した図である。
【図５】徹照像画像に対してその検出結果を重ね合わせ表示した画面を示す図である。
【符号の説明】
【００７３】
１０ａ  投光光学系
３０  撮像光学系
３５  二次元撮像素子
４０  投影光学系
４１  光源
【図１】
0005484139.tif 000002
【図２】
0005484139.tif 000003
【図３】
0005484139.tif 000004
【図４】
0005484139.tif 000005
【図５】
0005484139.tif 000006